(57)【特許請求の範囲】
【請求項１】
上方を開口した液体を入れる容器と、前記容器の外周を覆うボデーと、前記ボデー内に収容された電気部品と、前記電気部品に電気を供給する着脱可能なプラグと、前記ボデーの側面開口部に取り付けられ前記プラグが挿入される凹部を有したプラグ受けと、前記プラグ受けに前記ボデーの側面開口部から外方へ突出させる突出部を備え、前記プラグ受けの凹部の周りを前記ボデーの側面から突出させるとともに、前記突出部の外側面部とボデー外面部との間に段部を設け、前記突出部の外側面部の寸法を前記段部よりも大きくした液体調理機器。
【請求項２】
ボデーのプラグ受け取付部外周にボデーの側面から突出したリブを設け、このリブを階段状に形成した請求項１記載の液体調理機器。
【請求項３】
プラグ受けとボデーとの間に介在部品を取り付け、この介在部品を前記ボデーの側面から突出させるとともに、前記介在部品の突出部の外側とボデー側との間に段部を設けた請求項１記載の液体調理機器。
【請求項４】
段部と突出部の最外面をつなぐ突出部外周面をボデー側に傾斜させた請求項１記載の液体調理機器。
【発明の詳細な説明】
【０００１】
【発明の属する技術分野】
本発明は容器内に入れた液体を加熱したり、調理したりする液体調理機器、具体的には電気湯沸かし器や電磁調理器等に関するものである。
【０００２】
【従来の技術】
以下、電気湯沸かし器を例に説明する。従来この種の電気湯沸かし器は、図６および図７に示すような構成が一般的であった。すなわち、１は上方を開口した水を入れる容器で、容器１の底にはヒーターが取り付けられている。２は容器１の外周を覆うボデーで、ボデー２の側面下部にはプラグ受け３が取り付けられている。プラグ受け３にはプラグ４を挿入する凹部５が設けられ、凹部５にはヒーターと接続された２本のターミナルピン６が設けられている。プラグ４を凹部５に挿入嵌合すると、ターミナルピン６を介してヒーターに通電され容器１内の水が暖められる。また、プラグ受け３の外周はボデー２の取付面に対してほぼ垂直な壁になっており、プラグ受け３全体が取付面から２〜３ｍｍ突出している。７はボデー２の上方を覆う上枠である。
【０００３】
次に、前記従来例の電気湯沸し器において誤って水を入れすぎた場合について説明する。容器１内に水を入れすぎてあふれさせてしまった場合には、水は上枠７からボデー２の表面を伝って下方に流れていく。そして、あふれた水がボデー２の表面状態や水の勢いにより流れる方向を変えながら、上や横方向からプラグ受け３にかかる場合がある。
【０００４】
【発明が解決しようとする課題】
しかしながら、上記従来の構成では、プラグ受け３をボデー２表面から２〜３ｍｍ突出して取り付けているが、プラグ受け３の外周が取付面に対してほぼ垂直な壁であるため、水は容易に２〜３ｍｍの段差を乗り越えプラグ４と凹部５の隙間から奥に入っていく。そして、奥に多量に水が入った場合にはターミナルピン６すなわち充電部に水がかかり、絶縁性能が劣化するという課題を有していた。
【０００５】
本発明はこのような従来の課題を解決するものであり、流れてきた水がプラグ受けの外周を乗り越えるのを防ぎ、充電部に水が付着しないようにすることを目的としている。
【０００６】
【課題を解決するための手段】
上記課題を解決するために本発明は、プラグ受けの外周をボデー側面から突出させ、突出部の外側面部とボデー外面部との間に段部を設け、突出部の外側面部の寸法を段部よりも大きくすることで、流れてきた水がプラグ受けの外周を乗り越えるのを防ぎ、充電部に水が付着しないようにするものである。
【０００７】
【発明の実施の形態】
本発明の請求項１記載の発明は、上方を開口した液体を入れる容器と、前記容器の外周を覆うボデーと、前記ボデー内に収容された電気部品と、前記電気部品に電気を供給する着脱可能なプラグと、前記ボデーの側面開口部に取り付けられ前記プラグが挿入される凹部を有したプラグ受けと、前記プラグ受けに前記ボデーの側面開口部から外方へ突出させる突出部を備え、前記プラグ受けの凹部の周りを前記ボデーの側面から突出させるとともに、前記突出部の外側面部とボデー外面部との間に段部を設け、前記突出部の外側面部の寸法を前記段部よりも大きくしたもので、流れてきた水がプラグ受けの外周を乗り越えるのを防ぎ、充電部に水が付着しないようにすることができる。
【０００８】
本発明の請求項２記載の発明は、ボデーのプラグ受け取付部外周にボデーの側面から突出したリブを設け、このリブを階段状に形成し外側の寸法をボデー側よりも大きくしたもので、このリブにより流れてきた水がプラグ受けの外周を乗り越えるのを防ぎ、充電部に水が付着しないようにすることができる。
【０００９】
本発明の請求項３記載の発明は、プラグ受けと前記ボデーとの間に介在部品を取り付け、この介在部品を前記ボデーの側面から突出させるとともに、この介在部品の突出部の外側とボデー側との間に段部を設け、外側の寸法をボデー側よりも大きくしたもので、この介在部品の突出部により流れてきた水がプラグ受けの外周を乗り越えるのを防ぎ、充電部に水が付着しないようにすることができる。
【００１０】
本発明の請求項４記載の発明は、前記段部と前記突出部の最外面をつなぐ突出部外周面をボデー側に傾斜させたもので、ボデーに沿って流れてきた水が傾斜に当たって段部に落ちることで、凹部側に水が流れるのを確実に防ぐことができる。
【００１１】
【実施例】
以下本発明の実施例について電気湯沸かし器を例に図面を参照して説明する。
【００１２】
（実施例１）
図１および図２において、２１は上方を開口した水を入れる容器で、容器２１の底にはヒーターが取り付けられている。２２は容器２１の外周を覆うボデーで、ボデー２２の側面下部にはプラグ受け２３が取り付けられている。プラグ受け２３にはプラグ２４を挿入する凹部２５が設けられ、凹部２５にはヒーターと接続された２本のターミナルピン２６が設けられている。プラグ２４を凹部２５に挿入嵌合すると、ターミナルピン２６を介してヒーターに通電され容器２１内の水が暖められる。この例では、プラグ受け２３をボデー２２の取付面から３〜６ｍｍ突出し、突出部２３ａの外側とボデー２２側との間に段部２３ｂを設け、外側の寸法（ａ、ａ’）をボデー側（段部の寸法（ｂ、ｂ’））よりも大きくしてある。２７はボデー２２の上方を覆う上枠である。
【００１３】
次に、前述した電気湯沸し器において誤って水を入れすぎた場合について説明する。容器２１内に水を入れすぎてあふれさせてしまった場合には、水は上枠２７からボデー２２の表面を伝って下方に流れていく。そして、あふれた水がボデー２２の表面状態や水の勢いにより流れる方向を変えながら、上や横方向からプラグ受け２３にかかる場合がある。この時、プラグ受け２３外周面に段部２３ｂを設けているため、流れてきた水の勢いは段部２３ｂで弱められ段差を乗り越えることができず段部２３ｂを流れていき、水は凹部２５まで流れない。従って、充電部に水が付着しない。
【００１４】
（実施例２）
図３では、ボデー２２のプラグ受け取付部外周にボデー２２の側面から３〜６ｍｍ突出したリブ２８を設け、リブ２８を階段状に形成するとともにリブ２８の外側の段をボデー側よりも大きくしてある。従って、流れてきた水の勢いはリブ２８で弱められ段差を乗り越えることができず段部２３ａを流れていき、水は凹部２５まで流れない。従って、充電部に水が付着しない。また、ボデー２２に設けたリブ２８で水の付着を防いでいるため、プラグ受け２３を従来機種と共用する場合に便利である。
【００１５】
（実施例３）
図４では、プラグ受け２３がボデー２２の取付部よりも小さく、プラグ受け２３とボデー２２との間にプラグ受け２３外周を覆う介在部品２９がある。そして、介在部品２９をボデー２２の側面から３〜６ｍｍ突出させ、この突出部２９ａの外側とボデー２２側との間に段部２９ｂを設け、外側の段をボデー２２側よりも大きくしてある。従って、流れてきた水の勢いは段部２９ｂで弱められ段差を乗り越えることができず段部２９ｂを流れていき、水は凹部２５まで流れない。従って、充電部に水が付着しない。また、介在部品２９で水の付着を防いでいるため、ボデー２２やプラグ受け２３を従来機種と共用する場合に便利である。
【００１６】
（実施例４）
図５では、段部２３ａと突出部２３ｂの最外面をつなぐ突出部外周面２３ｃをボデー側に傾斜させたもので、ボデーに沿って流れてきた水が傾斜した外周面２３ｃに当たって段部２３ａに落ちることで、凹部２５側に水が流れるのを確実に防ぐことができる。
【００１７】
【発明の効果】
前記実施例から明かなように、本発明によれば、流れてきた水がプラグ受けの外周を乗り越えるのを防ぎ、充電部に水が付着しないようにすることができる。
【図面の簡単な説明】
【図１】  本発明の第１の実施例を示す電気湯沸し器の斜視図
【図２】  （ａ）本発明の第１の実施例を示す電気湯沸し器のプラグ受けの平面図
（ｂ）同プラグ受けの側面図
【図３】  （ａ）本発明の第２の実施例を示すプラグ受けの平面図
（ｂ）同プラグ受けの側面図
【図４】  （ａ）本発明の第３の実施例を示すプラグ受けの平面図
（ｂ）同プラグ受けの側面図
【図５】  （ａ）本発明の第４の実施例を示すプラグ受けの平面図
（ｂ）同プラグ受けの側面図
【図６】  従来例を示す電気湯沸し器の斜視図
【図７】  （ａ）従来例を示す電気湯沸し器のプラグ受けのプラグ受けの平面図
（ｂ）同プラグ受けの側面図
【符号の説明】
２１  容器
２２  ボデー
２３  プラグ受け
２３ａ  プラグ受けの突出部
２３ｂ  プラグ受けの段部
２４  プラグ
２５  凹部
２８  リブ
２９  介在部品
２９ａ  介在部品の突出部
２９ｂ  介在部品の段部
３０  張り出し部
【図１】
0004273637.tif 000002
【図３】
0004273637.tif 000003
【図４】
0004273637.tif 000004
【図５】
0004273637.tif 000005
【図６】
0004273637.tif 000006
【図７】
0004273637.tif 000007
【図２】
0004273637.tif 000008